(57)【要約】【課題】大量の蒸気などを排出しやすくし、さらには、異物が内部に侵入し難くした包装用容器を提供する。【解決手段】包装用容器１は、開口部２３付近の内面側に嵌合部２４を有する容器本体２と、嵌合部２４に内嵌合する被嵌合部３２を有する蓋体３と、を備え、嵌合部２３と被嵌合部３２とを嵌合させた状態で、嵌合部２３と被嵌合部２４との間に、容器周方向に延びる空隙の連結通気路５と、連結通気路５と交差し、容器内部から容器外部に延びる複数の排出通気路４と、を備えたことを特徴とする。【選択図】図３
2019127306.tif 000002
【特許請求の範囲】
【請求項１】
開口部付近の内面側に嵌合部を有する容器本体と、該嵌合部に内嵌合する被嵌合部を有する蓋体と、を備えた包装用容器であって、
該嵌合部と該被嵌合部とを嵌合させた状態で、該嵌合部と該被嵌合部との間に、容器周方向に延びる空隙の連結通気路と、該連結通気路と交差し、容器内部から容器外部に延びる複数の排出通気路と、を備えた包装用容器。
【請求項２】
前記嵌合部に、容器周方向に凹む折れ筋を設けた請求項１に記載の包装用容器。
【請求項３】
前記被嵌合部に、容器周方向に凹む折れ筋を設けた請求項１又は２に記載の包装用容器。
【請求項４】
前記排出通気路は、前記嵌合部に容器内部から容器外部に向かう凹部を設けて形成した請求項１〜３のいずれかに記載の包装用容器。
【請求項５】
前記排出通気路は、前記被嵌合部に容器内部から容器外部に向かう凹部を設けて形成した請求項１〜４のいずれかに記載の包装用容器。
【請求項６】
前記排出通気路は、容器内部側の吸入口から容器外部側の排出口に向かい窄まるように形成してなる請求項１〜５のいずれかに記載の包装用容器。
【請求項７】
前記連結通気路は、容器全周に渡り設けた請求項１〜６のいずれかに記載の包装用容器。
【発明の詳細な説明】
【技術分野】
【０００１】
本発明は、食料品などを収容することができ、特に電子レンジでの使用に適した包装用容器に関する。
【背景技術】
【０００２】
コンビニエンスストアやスーパーマーケットなどの小売店では、お弁当やお惣菜などが薄肉の樹脂製容器に収容されて販売されている。このような容器は、温めやすいように容器のまま電子レンジに入れて加熱できる耐熱性を有する設計とされていることが多い。
【０００３】
お弁当やお惣菜などを容器に収容したまま電子レンジで加熱すると、食料品から蒸気が発生し、容器の内圧が高まり蓋体を飛ばしてしまうことがある。そのようなことを防ぐために、例えば、蓋体を若干開封し、開口部にやや隙間ができるようにしてから電子レンジに入れて加熱することが行われているが、作業が煩雑になる。
【０００４】
そこで、蓋体にＵ字状の切れ込みを設けておき、蓋体を開封しなくても蒸気が抜けるようにした包装用容器が開発されている。
例えば、下記特許文献１には、容器本体の開口部を覆う蓋本体と、この蓋本体の上面の一部に形成された凹部と、この凹部に形成された容器本体内で発生する蒸気を抜くための切り欠きで形成した弁と、凹部の周縁部に形成した微小な蒸気抜き溝と、この蒸気抜き溝の外側端部の近傍に外周部が位置して、凹部および該蒸気抜き溝の全部あるいは外周部の一部を残して覆うことができる蓋本体に貼着されたラベルと、を備えた蓋体を有する弁当容器が開示され、この弁当容器は、容器本体内で発生した蒸気が弁を押し上げ、凹部内へ浸入し、この凹部から微小な蒸気抜き溝を通過して、外部へ排出することができるようにしたものである。
【０００５】
下記特許文献２には、水平方向に対して傾斜した面を設け、この傾斜した面に、回動基部が上側又は下側に位置し、水平方向に対して垂直に入れられた切り込みにより形成された舌状部からなる傾斜弁を形成した蓋体が開示され、この蓋体は、一定圧力を超えると舌状部がスムーズに開いて蒸気を排出することができ、或いは、減圧時に、舌状部が容器内側にスムーズに開き、容器外の空気を取込み、容器の潰れを防ぐことができるものである。
【０００６】
また、容器本体の縁部に排気用の溝を設けて容器内の蒸気が抜けるようにした容器も開発されている。
例えば、下記特許文献３には、容器本体に形成した容器嵌合部に蓋体の蓋嵌合部を強制的に嵌め合わせることができ、容器本体内に生じる蒸気圧により容器本体から蓋体を持ち上げ、蓋体が持ち上げられた際に容器本体内と容器本体外とを連通開放させる蒸気抜き溝を形成した食品包装容器が開示されている。
【先行技術文献】
【特許文献】
【０００７】
【特許文献１】特開２００９−２８３２５号公報
【特許文献２】特開２０１０−１９５４５３号公報
【特許文献３】特開２０１０−２１５２５９号公報
【発明の概要】
【発明が解決しようとする課題】
【０００８】
従来における容器は、蓋体の天面部にＵ字状の切れ込みによる弁や容器本体の縁部に蒸気抜き溝などを設けて、電子レンジなどの加熱により発生した蒸気を排出することができるようにしてあるが、大量に蒸気が発生した場合は弁や溝では排出量が少ないため排気が間に合わず、蓋体が押し上げられ、飛散するおそれがあった。
【０００９】
そこで、本発明の目的は、大量の蒸気などを排出しやすくした包装用容器を提供することにあり、さらに、この容器は、埃などの異物が容器内部に侵入し難くしたものでもある。
【課題を解決するための手段】
【００１０】
本発明の一実施形態の包装用容器は、開口部付近の内面側に嵌合部を有する容器本体と、該嵌合部に内嵌合する被嵌合部を有する蓋体と、を備えた包装用容器であって、嵌合部と被嵌合部とを嵌合させた状態で、嵌合部と被嵌合部との間に、容器周方向に延びる空隙の連結通気路と、連結通気路と交差し、容器内部から容器外部に延びる複数の排出通気路と、を備えたことを特徴とする。
【００１１】
このように、嵌合部と被嵌合部との間に周方向に延びる空隙の連結通気路を設け、また、連結通気路と交差する複数の排出通気路を設けることにより、排出通気路から流入した蒸気が、連結通気路により分散されて他の排出通気路からも排出させることができる。よって、容器内部に大量の蒸気が発生しても複数の排出通気路に適宜分散されて排出され、容器の内圧が高まり蓋体が押し上げられることなどを防ぐことができる。
【００１２】
上記形態の包装用容器は、嵌合部に容器周方向に凹む折れ筋を設けることや、被嵌合部に容器周方向に凹む折れ筋を設けることができる。これにより、蓋体を容器本体に嵌合させた際、嵌合部又は被嵌合部の折れ筋が連結通気路となり、蒸気を排出することができる。
【００１３】
上記形態の包装用容器は、嵌合部又は被嵌合部に容器内部から容器外部に向かう凹部を設けて排出通気路を形成することができる。また、排出通気路は、容器内部側の吸入口から容器外部側の排出口に向かい窄まるように形成することが好ましい。排出通気路を容器内部から容器外部に向かう凹部とすることにより、蒸気を容器外部に排出しやすくなる。また、吸入口から排出口に向けて窄まるように形成することにより、排出口を小さくして埃などの異物を容器内部に侵入しにくくすることができる。
【００１４】
上記形態の包装用容器は、連結通気路を、容器全周に渡り設けることができる。これにより、蒸気が全周に渡り分散され、大量の蒸気を排出しやすくなる。
【図面の簡単な説明】
【００１５】
【図１】本発明の包装用容器の一実施形態を示し、開蓋状態での斜視図である。
【図２】図１に示した包装用容器において、開蓋状態での開口部付近の部分拡大端面図である。
【図３】図１に示した包装用容器において、閉蓋状態での排気通気路付近の部分拡大斜視図である。
【図４】図１に示した包装用容器において、閉蓋状態での排気通気路付近の部分拡大端面図である。
【図５】図１に示した包装用容器において、閉蓋状態での連結通気路付近の部分拡大端面図である。
【図６】図１に示した包装用容器における連結通気路の一変形例を示した部分拡大端面図である。
【図７】図１に示した包装用容器における連結通気路の他の変形例を示した部分拡大端面図である。
【図８】図１に示した包装用容器における排出通気路の一変形例を示した部分拡大端面図である。
【発明を実施するための形態】
【００１６】
以下、本発明の包装用容器の一実施形態を図面に基づいて説明する。
【００１７】
本発明の一実施形態の包装用容器１は、図１に示すように、容器本体２と、容器本体２に内嵌合することができる蓋体３と、を備える。
【００１８】
包装用容器１は、特に限定するものではないが、惣菜、米飯、麺類、スープ等の食料品を収容することができ、特に、電子レンジで温める、弁当、惣菜、スープ等を収容するのが好ましい。
包装用容器１は、平面視円形状としてあるが、これに限定されるものではなく、例えば、平面視正方形乃至長方形状などの平面視四角形状、平面視五角形状、六角形状又は八角形状などの平面視多角形状、平面視長円形状などにすることもできる。
【００１９】
包装用容器１は、例えば、シート厚０．１０ｍｍ〜４．０ｍｍ、好ましくは０．１５ｍｍ〜２．５ｍｍの合成樹脂シートを熱成形して製造することができる。
【００２０】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００２１】
熱成形としては、例えば、真空成形、圧空成形、真空圧空成形、熱板成形などを挙げることができる。
【００２２】
容器本体２と蓋体３との材質は同じでも相違してもよく、例えば、容器本体２を発泡樹脂、蓋体３を非発泡樹脂から形成することができる。
また、容器本体２及び蓋体３は、黒色や白色などの有色にしても、透明や半透明などにしてもよい。容器本体２と蓋体３との色は、同じでも相違してもよく、例えば、容器本体２を白色、蓋体３を透明にすることができる。
【００２３】
容器本体２は、図１又は図２に示すように、逆円錐台形状に形成してあり、平面視円形状の底面部２１と、底面部２１の縁部から立ち上がる側壁面部２２と、側壁面部２２の上縁部に囲われる開口部２３と、開口部２３付近の内面側に設けた嵌合部２４と、を備える。
【００２４】
底面部２１は平面視円形状の略水平面として形成し、側壁面部２２は底面部２１の周縁から垂直乃至傾斜状に立ち上がるように形成してあり、底面部２１及び側壁面部２２で囲われた箇所に食料品などの収容物を収容することができるようにしてある。
【００２５】
底面部２１には、上方に突出させた仕切部２１ａ，２１ｂを形成してある。
仕切部２１ａは底面部２１の中央付近に円形状に突出させ、仕切部２１ｂは仕切部２１ａから略等間隔で放射状に延びるように５箇所に形成してある。
仕切部２１ａの内側を円形状の収容部２５ａとし、側壁面部２２、仕切部２１ａ及び仕切部２２ａで囲われた各箇所を扇状の収容部２５ｂとしてある。
【００２６】
側壁面部２２は、図２に示すように、開口部２３付近の内面側を略垂直面状に形成してあり、その部分を、蓋体３を内嵌合する嵌合部２４としてある。
嵌合部２４は、下側約半分を略垂直面状に形成し、上側約半分を容器内側に湾曲状に膨らませて形成してあり、これらの境目を容器周方向に凹む折れ筋２６としてある。
【００２７】
側壁面部２２の上縁部には、外方に張り出すフランジ部２７が設けてある。
フランジ部２７は、側壁面部２２の上縁部から上側に凸とした半円状に外方に張り出させ、その先端部を若干幅で水平状に突出させた形状としてある。
【００２８】
蓋体３は、図１又は図２に示すように、円盤状に形成してあり、平面視円形状の天面部３１と、天面部３１の外縁側に、嵌合部２４に内嵌合することができる被嵌合部３２と、を備える。
【００２９】
天面部３１は、平面視円形状の略水平面としてあり、開口部２３を被覆することができる。天面部３１の外縁には、図２に示すように、一段隆起した段状部３１ａが形成してあり、天面部３１を囲うように形成してある。
段状部３１ａの外方側は、図２に示すように、角凹状に形成してあり、その外側面を嵌合部２４に内嵌合する被嵌合部３２としてある。
【００３０】
被嵌合部３２は、上側約半分を略垂直面状に形成し、下側約半分を容器内側に突き出す傾斜面として形成してあり、これらの境目を容器周方向に凹む折れ筋３３としてある。
【００３１】
被嵌合部３２の上縁部には、図２に示すように、外方に水平状に張り出すフランジ部３４が形成してあり、容器本体２のフランジ部２７に載るようにしてある。フランジ部３４の外縁部には、下方に傾斜乃至湾曲し、その先端部を若干幅で水平状に突出させたスカート部３５が設けてある。また、フランジ部３４の上面には、図１に示すように、放射状に延びる複数の凸部が略等間隔で形成してあり、フランジ部３４の強度を高める役割を果たしている。
【００３２】
蓋体３の外縁部（被嵌合部３２及びフランジ部３４付近）には、図１に示すように、適宜間隔で排気通気路４が設けてある。本実施形態では、略等間隔で６箇所形成してある。
排気通気路４は、図３又は図４に示すように、蓋体３を容器本体２に嵌合させた際に容器内部から容器外部に向かう通路になり、容器内部の蒸気などを外部に排出できるようにしてある。
排気通気路４は、被嵌合部３２及びフランジ部３４を角溝状に凹ませて連続させてあり、図３又は図４に示すように、容器内側の吸入口４１から容器外部の排出口４２に向かい窄まる形状としてある。このようにすることにより、排出口４２を小さくすることができ、埃などの異物が容器内部に侵入しにくくなる。
本実施形態では、容器本体２のフランジ部２７の先端が蓋体３のスカート部３５の内側に当接するように形成されており、排出口４２が常時は外部に露出しないようにしてある。蒸気を排出する際には、蒸気の圧力によりフランジ部２７及びスカート部３５を押し広げて排出できるようにしてある。
【００３３】
蓋体３を容器本体２に閉蓋、つまり被嵌合部３２を嵌合部２４に嵌合させた際に、図３又は図５に示すように、折れ筋２６，３３により、高さ中間付近に断面平行四辺形状の空隙が形成され、この空隙を容器周方向に延びる連結通気路５としてある。
連結通気路５は、図３に示すように、各排気通気路４と交差し、各吸入口４１から吸入した蒸気などを他の排気通気路４に分散することができる。
本実施形態では、連結通気路５を、容器周方向に一周するように全周に渡り連続して設けてあるが、半周毎の二分割や１／４周毎の四分割などに分断してもよく、少なくとも２つの排気通気路４を連結するようにしてあればよい。
【００３４】
包装用容器１は、収容部２５ａ，２５ｂに食料品などを収容し、蓋体３を容器本体２の開口部２３を覆うように被せ、嵌合部２４と被嵌合部３２とを内嵌合させることにより、閉蓋することができる。
この際、嵌合部２４と被嵌合部３２との間に、図３に示すように、連結通気路５及び排気通気路４が形成される。
【００３５】
食料品などを収容して閉蓋したままの状態で、包装用容器１を電子レンジに入れて加熱すると、大量の蒸気が発生する。容器内部の蒸気は、図３の矢印に示すように、吸入口４１から排気通気路４に流れ込み、一部の蒸気はその排気通気路４を流れて排気口４２から容器外部に排出され、他の蒸気は、交差する連結通気路５に流れ込み、他の排気通気路４の排出口５から容器外部に排出される。
【００３６】
このように、包装用容器１は、容器内部に大量の蒸気が発生したとしても、排出通気路４に流れ込んだ蒸気が連結通気路５により他の排出通気路４に分散されるため、一定箇所に圧力が集中して、蓋体３が押し上げられ、飛散させられることがなく、大量の蒸気をスムーズに排出することができる。
【００３７】
また、排出口４２を小さくすることもでき、これにより、埃や虫などの異物を容器内部に侵入させにくくすることができる。
【００３８】
本実施形態では、嵌合部２４及び被嵌合部３２ともに折れ筋２６，３３を設けて連結通気路５を形成したが、図６に示すように、嵌合部２４を垂直乃至傾斜面とし、被嵌合部３２のみに折れ筋３３を設けて連結通気路５としてもよく、また、図７に示すように、被嵌合部３２を垂直乃至傾斜面とし、嵌合部２４のみに折れ筋２６を設けて連結通気路５としてもよい。
【００３９】
また、本実施形態では、排気通気路４を、被嵌合部３２及びフランジ部３４に形成したが、図８に示すように、被嵌合部３２のみを角溝状に凹ませて上下方向に延びる排気通気路４としてもよい。蒸気を排出する際は、排気通気路４に流入した蒸気の圧力によりフランジ部３４及びスカート部３５を押し上げて容器外部に蒸気を排出することができる。これにより、排出口４２が、常時はフランジ部３４により閉じられているので、より一層異物の侵入を防ぐことができる。
【００４０】
さらに、排気通気路４を、嵌合部２４に容器内部から容器外部に向かう凹部を設けて形成してもよい。排気通気路４は、嵌合部２４、被嵌合部３２のいずれかに設けてあればよく、両方に設けてもよい。排気通気路４を嵌合部２４、被嵌合部３２の両方に設けた場合は、蓋体３を容器本体２に嵌合した際に、両排気通気路４が重なるようにするのが好ましい。
【００４１】
上記実施形態の構成態様は、本発明を限定するものとして挙げたものではなく、技術目的を共通にするかぎり変更は可能であり、本発明はそのような変更を含むものである。
【符号の説明】
【００４２】
１包装用容器
２容器本体
２１底面部
２１ａ，２１ｂ仕切部
２２側壁面部
２３開口部
２４嵌合部
２５ａ，２５ｂ収容部
２６折れ筋
２７フランジ部
３蓋体
３１天面部
３１ａ段状部
３２被嵌合部
３３折れ筋
３４フランジ部
３５スカート部
４排出通気路
４１流入口
４２排出口
５連結通気路
【図１】
2019127306.tif 000003
【図２】
2019127306.tif 000004
【図３】
2019127306.tif 000005
【図４】
2019127306.tif 000006
【図５】
2019127306.tif 000007
【図６】
2019127306.tif 000008
【図７】
2019127306.tif 000009
【図８】
2019127306.tif 000010